(57)【要約】【課題】出力枚数が後処理制限枚数を超えた場合にユーザの希望動作を反映することができる画像形成装置を提供する。【解決手段】本発明に係る画像形成装置１００によれば、制御部１１は、動作しているモードが、中綴じ、中折り、断裁の何れかの後処理モードである場合、即ち、リアル出力動作が可能ではないモードである場合、又は、リアル出力動作が可能なステープルモードであり、かつ後処理制限枚数オーバー時の動作が「継続」ではない、即ち「ジョブを中止」又は「ジョブを継続／中止の選択」が設定されている場合は、画像制御部１０の各部、プリンタ制御部５１、後処理制御部６１を制御して、出力枚数が確定してから一括出力動作を行う。また、出力枚数が後処理制限枚数を超えた場合、不揮発メモリ１２を参照し、各後処理モードに設定されている後処理制限枚数オーバー時の動作に基づいて、各部を制御する。【選択図】  図１
2005017692.tif 000002
【特許請求の範囲】
【請求項１】
画像形成装置本体から出力された用紙に各種の後処理を行う後処理装置を備えた画像形成装置において、
ジョブの実行中に、そのジョブにおける出力すべき枚数が前記後処理装置の処理制限枚数を超過した時の動作として、「後処理モードを変更しジョブの出力を継続する第１の動作」、「そのジョブの継続を中止する第２の動作」、「その都度、後処理モードを変更してジョブの出力を継続するか、ジョブの継続を中止するかを選択する第３の動作」の何れかを選択的に入力して設定するための設定操作部と、
前記出力すべき枚数の処理制限枚数超過時において、前記設定されている動作を実行するように制御するとともに、前記第２の動作又は第３の動作の何れかの動作が設定入力されている場合、前記出力すべき枚数が確定した後で出力動作を開始するように制御する制御部と、を備えたことを特徴とする画像形成装置。
【請求項２】
前記設定操作部による処理制限枚数超過時の前記第１〜第３の動作の設定は、処理制限枚数のある後処理モードの種類毎に行うことを特徴とする請求項１に記載の画像形成装置。
【請求項３】
前記処理制限枚数のある後処理モードには、ステープルモード、中綴じモード、中折りモード、断裁モードの何れかが含まれることを特徴とする請求項１又は２に記載の画像形成装置。
【請求項４】
画像形成装置本体から出力された用紙に後処理を行う後処理装置を備えた画像形成装置の制御方法であって、
ジョブの実行中に、そのジョブにおける出力すべき枚数が前記後処理装置の処理制限枚数を超過した時の動作として、「後処理モードを変更しジョブの出力を継続する第１の動作」、「そのジョブの継続を中止する第２の動作」、「その都度、後処理モードを変更しジョブの出力を継続するか、ジョブの継続を中止するかを選択する第３の動作」の何れかを選択的に入力して設定し、
前記出力すべき枚数の処理制限枚数超過時において、前記設定されている動作を実行するように制御するとともに、前記第２の動作又は第３の動作の何れかの動作が設定されている場合、前記出力すべき枚数が確定した後で出力動作を開始するように制御することを特徴とする画像形成装置の制御方法。
【請求項５】
前記処理制限枚数超過時の前記第１〜第３の動作の設定は、処理制限枚数のある後処理モードの種類毎に行うことを特徴とする請求項４に記載の画像形成装置の制御方法。
【請求項６】
前記処理制限枚数のある後処理モードには、ステープルモード、中綴じモード、中折りモード、断裁モードの何れかが含まれることを特徴とする請求項４又は５に記載の画像形成装置の制御方法。
【発明の詳細な説明】
【０００１】
【発明の属する技術分野】
本発明は、画像形成装置本体から排出された用紙にステープル処理、中綴じ処理等の後処理を行う後処理装置を備えた画像形成装置及びその制御方法に関する。
【０００２】
【従来の技術】
近年、複写機、プリンタ、これらの複合機等の画像形成装置により画像が記録された用紙を集積して、複数枚で１セットになる用紙束に対してステープル処理、中綴じ処理、中折り処理、断裁処理等の後処理を行い、冊子を製本化する後処理装置を備えた画像形成装置が提供されている。
【０００３】
後処理装置には、各後処理で処理可能な制限枚数がある。例えば、特許文献１においては、パンチ処理を含む後処理が選択されている場合に、後処理装置へ送り込まれるシートが処理の許容枚数に到達した場合、少なくともページの揃っていないシート束に対して、処理を行っても差し支えないパンチ処理だけを行う技術が開示されている。
【０００４】
【特許文献１】
特開平５−１０５３０８号公報
【０００５】
【発明が解決しようとする課題】
一般的に、出力すべき枚数（以下、出力枚数と称する）が後処理の処理制限枚数（以下、後処理制限枚数と称する）を超えることにより所望の冊子が得られない場合には、１枚も出力をしたくない場合と、所望の冊子が得られなくても出力だけは完了させて出力後オフラインで後処理を行いたい場合とがある。また、その都度、上記のうちの何れの動作を行うかを選択したい場合もある。しかしながら、従来は、出力枚数が後処理制限枚数を超えた場合に、ユーザの希望を反映させて的確な動作を実施することができなかった。
【０００６】
また、出力枚数が後処理制限枚数を超えた場合にジョブを中止する場合、既に制限枚数までの用紙が出力されている場合があり、用紙が無駄になることがあった。
【０００７】
本発明の課題は、出力枚数が後処理制限枚数を超えた場合にユーザの希望動作を反映することができる画像形成装置を提供することである。
【０００８】
【課題を解決するための手段】
上記課題を解決するため、請求項１に記載の発明は、
画像形成装置本体から出力された用紙に各種の後処理を行う後処理装置を備えた画像形成装置において、
ジョブの実行中に、そのジョブにおける出力すべき枚数が前記後処理装置の処理制限枚数を超過した時の動作として、「後処理モードを変更しジョブの出力を継続する第１の動作」、「そのジョブの継続を中止する第２の動作」、「その都度、後処理モードを変更してジョブの出力を継続するか、ジョブの継続を中止するかを選択する第３の動作」の何れかを選択的に入力して設定するための設定操作部と、
前記出力すべき枚数の処理制限枚数超過時において、前記設定されている動作を実行するように制御するとともに、前記第２の動作又は第３の動作の何れかの動作が設定入力されている場合、前記出力すべき枚数が確定した後で出力動作を開始するように制御する制御部と、を備えたことを特徴としている。
【０００９】
請求項４に記載の発明は、
画像形成装置本体から出力された用紙に後処理を行う後処理装置を備えた画像形成装置の制御方法であって、
ジョブの実行中に、そのジョブにおける出力すべき枚数が前記後処理装置の処理制限枚数を超過した時の動作として、「後処理モードを変更しジョブの出力を継続する第１の動作」、「そのジョブの継続を中止する第２の動作」、「その都度、後処理モードを変更しジョブの出力を継続するか、ジョブの継続を中止するかを選択する第３の動作」の何れかを選択的に入力して設定し、
前記出力すべき枚数の処理制限枚数超過時において、前記設定されている動作を実行するように制御するとともに、前記第２の動作又は第３の動作の何れかの動作が設定されている場合、前記出力すべき枚数が確定した後で出力動作を開始するように制御することを特徴としている。
【００１０】
請求項１、４に記載の発明によれば、画像形成装置において、ジョブの実行中に、そのジョブにおける出力すべき枚数が後処理装置の処理制限枚数を超過した時の動作として、「後処理モードを変更しジョブの出力を継続する第１の動作」、「そのジョブの継続を中止する第２の動作」、「その都度、後処理モードを変更しジョブの出力を継続するか、ジョブの継続を中止するかを選択する第３の動作」の何れかが選択的に設定入力されると、出力すべき枚数の処理制限枚数超過時において、設定されている動作を実行するように制御するとともに、第２の動作又は第３の動作の何れかの動作が設定されている場合、出力すべき枚数が確定した後で出力動作を開始するように制御する。
【００１１】
従って、そのジョブにおいて出力すべき枚数が後処理装置の処理制限枚数を超えた場合、ユーザの希望動作を反映して動作することができる。また、出力すべき枚数が処理制限枚数を超過した時の動作が第２の動作又は第３の動作の何れかである場合には、出力すべき枚数が確定するまで出力を行わないので、出力すべき枚数が処理制限枚数を超えて後処理が行うことができない場合に出力を行いたくない場合、１枚も出力することがなく、用紙を無駄にすることがなくなる。
【００１２】
請求項２に記載の発明は、請求項１に記載の発明において、
前記設定操作部による処理制限枚数超過時の前記第１〜第３の動作の設定は、処理制限枚数のある後処理モードの種類毎に行うことを特徴としている。
【００１３】
請求項５に記載の発明は、請求項４に記載の発明において、
前記処理制限枚数超過時の前記第１〜第３の動作の設定は、処理制限枚数のある後処理モードの種類毎に行うことを特徴としている。
【００１４】
請求項２、５に記載の発明によれば、処理制限枚数のある後処理モードの種類に応じて処理制限枚数超過時の動作を設定することができる。
【００１５】
請求項３に記載の発明は、請求項１又は２に記載の発明において、
前記処理制限枚数のある後処理モードには、ステープルモード、中綴じモード、中折りモード、断裁モードの何れかが含まれることを特徴としている。
【００１６】
請求項６に記載の発明は、請求項４又は５に記載の発明において、
前記処理制限枚数のある後処理モードには、ステープルモード、中綴じモード、中折りモード、断裁モードの何れかが含まれることを特徴としている。
【００１７】
請求項３、６に記載の発明によれば、処理制限枚数のある後処理モードには、ステープルモード、中綴じモード、中折りモード、断裁モードの何れかが含まれ、これらの後処理モードに応じて処理制限枚数超過時の動作を設定することができる。
【００１８】
【発明の実施の形態】
以下、図を参照して本発明の実施の形態について詳細に説明する。
【００１９】
まず、構成を説明する。
図１は、画像形成装置１００の機能的構成を示すブロック図である。
図１に示す様に、画像形成装置１００は、画像制御部１０、操作表示部２０、スキャナ部３０、通信部４０、プリンタ部５０を有する画像形成装置本体１、後処理装置２、これに接続された断裁装置３を備えて構成されている。
【００２０】
画像制御部１０は、制御部１１、不揮発メモリ１２、画像メモリ１３、読み取り処理部１４、圧縮ＩＣ１５、伸長ＩＣ１６、書き込み処理部１７を備えて構成されている。
【００２１】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）により構成される。ＣＰＵは、ＲＯＭに記憶されているシステムプログラムや各種処理プログラムを読み出してＲＡＭに展開し、展開したプログラムに従って画像形成装置１００の各部の動作を集中制御する。また、ＣＰＵは、読み出したプログラムに従って、後述する出力制御処理を始めとする各種処理を実行する。
【００２２】
また、制御部１１は、通信部４０内の通信制御部４１とＰＣＩバスにより接続されており、通信部４０と画像制御部１０との間のデータの入出力を制御する。
【００２３】
不揮発メモリ１２は、画像形成装置１００に係る各種設定データ等を記憶する。本実施の形態において、不揮発メモリ１２は、各後処理モードにおける後処理制限枚数オーバー時の動作設定データを記憶している。図２に示すように、不揮発メモリ１２は、各後処理モードを示すデータ（例えば、ステープルモード、中綴じモード、中折りモード、断裁モード、・・・）に、その後処理モードにおいて後処理制限枚数オーバー時に実施する動作設定を示すデータ（例えば、０ｘ００、０ｘ０１、０ｘ０１、０ｘ０２、・・・）（０ｘ００＝後処理モードを変更しジョブを継続する第１の動作、０ｘ０１＝ジョブの継続を中止する第２の動作、０ｘ０２＝その都度、後処理モードを変更しジョブを継続又はジョブの継続を中止のどちらかを選択する第３の動作）を対応付けて記憶している。なお、本実施の形態においては、各後処理モードに対応付けられるデータは、０ｘ００〜０ｘ０２の何れかである。
【００２４】
画像メモリ１３は、ＤＲＡＭ（Ｄｙｎａｍｉｃ  Ｒａｎｄｏｍ  Ａｃｃｅｓｓ  Ｍｅｍｏｒｙ）により構成され、圧縮メモリ１３ａ及びページメモリ１３ｂを有している。圧縮メモリ１３ａは、制御部１１の制御により、圧縮ＩＣ１５で圧縮された画像データ等の圧縮データを記憶する。ページメモリ１３ｂは、制御部１１の制御により伸長ＩＣ１６により伸長された１頁分の画像データを格納する。
【００２５】
読み取り処理部１４は、スキャナ部３０により読み取られたアナログ画像信号をデジタル画像データに変換して圧縮ＩＣ１５へ出力する。
圧縮ＩＣ１５は、読み取り処理部１４から入力された画像データ、制御部１１を介して通信部４０から入力された画像データを圧縮し、その圧縮データを制御部１１の制御に基づいて圧縮メモリ１３ａに出力する。
【００２６】
伸長ＩＣ１６は、制御部１１の制御により圧縮メモリ１３ａから入力された圧縮データを伸長し、その伸長データを書き込み処理部１７に出力する。
書き込み処理部１７は、伸長ＩＣ１６から入力される画像データに基づくＰＷＭ（Ｐｕｌｓｅ  Ｗｉｄｔｈ  Ｍｏｄｕｌａｔｉｏｎ）信号を生成し、プリンタ部５０へ出力する。
【００２７】
設定操作部としての操作表示部２０は、操作制御部２１、ＬＣＤ（Ｌｉｑｕｉｄ  Ｃｒｙｓｔａｌ  Ｄｉｓｐｌａｙ）２２等により構成されている。
操作制御部２１は、制御部１１からの表示信号を受信して、ＬＣＤ２２における表示制御を行う。また、ＬＣＤ２２上のタッチパネルから入力される操作信号を制御部１１へ出力する。
【００２８】
ＬＣＤ２２は、操作制御部２１から入力される表示信号の指示に従って画面上に各種操作ボタンや画像の状態表示、各機能の動作状況等の表示を行う。ＬＣＤ２２の表示画面は、透明なシートパネルにより覆われており、指又は専用のスタイラスペンで触れることにより入力される位置情報を入力情報として操作制御部２１に出力する、タッチパネルにより構成されている。
【００２９】
図３に、ＬＣＤ２２に表示される後処理制限枚数オーバー時動作設定画面２２１の一例を示す。図３に示すように、後処理制限枚数オーバー時動作設定画面２２１は、ステープルモード、中綴じモード、中折りモード、断裁モードの後処理モード毎に後処理制限枚数オーバー時の動作を選択入力できるようになっている。この後処理制限枚数オーバー時動作設定画面２２１において選択入力された動作は、図２に示したデータとして不揮発メモリ１２に記憶され、各後処理モードにおける後処理制限枚数オーバー時の動作として設定される。
【００３０】
図１の操作表示部２０は、その他図示しない数字ボタンや各種設定を切替える機能ボタン、スタートボタン等の各種操作ボタンを備えており、ボタン操作による操作信号を操作制御部２１から制御部１１に出力する。
【００３１】
スキャナ部３０は、原稿を載置するコンタクトガラスの下部に設けられており、スキャナ制御部３１、ＣＣＤ（Ｃｈａｒｇｅ  Ｃｏｕｐｌｅｄ  Ｄｅｖｉｃｅ）３２等を備えて構成されている。
スキャナ制御部３１は、制御部１１からの制御信号を受信して、ＣＣＤ３２を駆動制御する。ＣＣＤ３２は、図示しない光源から原稿へ照明走査した光の反射光を結像して光電変換することにより原稿の画像を読み取り、読み取ったアナログ画像信号を読み取り処理部１４へ出力する。ここで、画像は、図形や写真等のイメージデータに限らず、文字や記号等のテキストデータ等も含む。
【００３２】
通信部４０は、通信制御部４１、画像メモリ４２、Ｉ／Ｆ４３等により構成されている。
通信制御部４１は、通信部４０の各部の動作を制御し、ネットワークＮに接続された端末等の外部機器との間でデータの送受信を行う。また、通信制御部４１は、画像制御部１０内の制御部１１とＰＣＩバスにより接続されており、通信部４０と画像制御部１０とのデータの入出力を制御する。
【００３３】
画像メモリ４２は、ＤＲＡＭにより構成されており、通信制御部４１の制御により、ネットワークＮを介して外部機器から受信した画像データ、及びＰＣＩバスを通じて画像制御部１０から出力された画像データを一時的に格納する。
Ｉ／Ｆ４３は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、あるいはインターネット等のネットワークＮに接続された伝送媒体に接続可能なインターフェースであり、ネットワークＮを介して入力される画像データを通信制御部４１に出力すると共に、通信制御部４１から出力される画像データを、ネットワークＮを介して外部機器に送信する。
【００３４】
プリンタ部５０は、プリンタ制御部５１、プリント部５２等により構成されている。
プリンタ制御部５１は、制御部１１からの制御信号を受信して、プリンタ部５０の各部の動作を制御してプリント出力を行う。また、制御部１１、後処理制御部６１間のデータ通信の中継を行う。
【００３５】
プリント部５２は、ＬＤ（Ｌａｓｅｒ  Ｄｉｏｄｅ）、感光ドラム、給紙部、排出部等（図示せず）を備えて構成され、プリンタ制御部５１からの印刷指示に従って、操作表示部２０から入力指示された、あるいは通信部４０を介して受信したデータに含まれる指示データにより指示されたサイズと向きの印刷用紙を給紙部から搬送して、書き込み処理部１７から入力されたＰＷＭ信号に基づいて感光ドラム表面にレーザ光を照射することにより静電潜像を形成する。更に、プリント部５２は、感光ドラム表面の静電潜像を含む領域にトナーを付着させ、給紙部から搬送される印刷用紙にトナーを転写して定着させた後、排出部から排出する。
【００３６】
後処理装置２は、プリンタ制御部５１を介して制御部１１から入力される制御信号に基づいて後処理制御部６１により後処理装置２各部の制御を行うことにより、プリンタ部５０により画像が形成された複数枚の印刷用紙を集積し、ステープル処理、中綴じ処理、中折り処理等の後処理を行う。また、後処理制御部６１は、制御部１１からの指示に基づいて、断裁制御部７１に制御信号を出力し、集積した複数の印刷用紙に断裁処理を行わせる。また、プリンタ制御部５１を介して入力された制御部１１からの指示に応じて後処理制限枚数を制御部１１に出力する。
【００３７】
断裁装置３は、後処理制御部６１からの制御信号に基づいて断裁制御部７１により断裁装置３各部の制御を行うことにより、後処理装置２から出力される印刷用紙に対して断裁処理を施す。
【００３８】
次に、動作について説明する。
図４に、１つのジョブ実行時に、原稿の画像データがスキャナ部３０又は通信部４０から画像制御部１０に入力される毎に、制御部１１により実行される出力制御処理を示す。以下、図４を参照して出力制御処理について説明する。
【００３９】
なお、本処理の前提として、中綴じ、中折り、断裁の各後処理モードにおいては、リアル出力動作（入力された原稿の画像データを、出力枚数の確定をまたずに順次リアルタイムで出力する動作）は不可能であり、ステープルモードにおいてはリアル出力動作が可能である。
【００４０】
原稿の画像データがスキャナ部３０又は通信部４０から画像制御部１０に入力されると、原稿カウントが＋１され、出力枚数が算出される（ステップＳ１）。印刷用紙の片面に印刷するモードが設定されている場合は、原稿カウントを＋１した値が出力枚数として算出され、印刷用紙の両面に印刷するモードが設定されている場合は、原稿カウントを＋１した値を２で除算する（剰余がある場合は、除算した結果に＋１する）ことにより出力枚数が算出される。
【００４１】
次いで、当該ジョブで動作しているモードが、中綴じ、中折り、断裁以外の後処理モードであるか否か、即ち、リアル出力動作が不可能な後処理モードであるか否かが判断される（ステップＳ２）。リアル出力動作が可能なモードである場合は（ステップＳ２；ＮＯ）、処理はステップＳ３に移行し、リアル出力動作が不可能なモードである場合には（ステップＳ２；ＹＥＳ）、処理はステップＳ５に移行する。
【００４２】
ステップＳ３において、動作しているモードが、後処理モードのうちステープルモードであるか否かが判断され、ステープルモードである場合は（ステップＳ３；ＹＥＳ）、処理はステップＳ４に移行し、ステープルモードでない場合は（ステップＳ３；ＮＯ）、処理はステップＳ６へ移行する。
【００４３】
ステップＳ４において、不揮発メモリ１２を参照することにより、動作している後処理モードに対して設定されている後処理制限枚数オーバー時の動作が「後処理モードを変更しジョブを継続する第１の動作」（以下、「継続」と称する。）であるか否かが判断され、「継続」である場合は（ステップＳ４；ＹＥＳ）、処理はステップＳ６に、「継続」でない場合は（ステップＳ４；ＮＯ）、処理はステップＳ５に移行する。
【００４４】
ステップＳ５において、当該ジョブにおける原稿の画像データの入力が完了し、出力枚数が確定したか否かが判断され、出力枚数が確定した場合は（ステップＳ５；ＹＥＳ）、処理はステップＳ６へ移行し、出力枚数が確定していない場合は（ステップＳ５；ＮＯ）、本処理は終了する。
【００４５】
ステップＳ６において、モード設定が後処理モードのうちステープル、中綴じ、中折り又は断裁の何れかのモードであるか否かが判断され、何れかのモードである場合は（ステップＳ６；ＹＥＳ）、処理はステップＳ７に移行し、何れのモードでもない場合は（ステップＳ６；ＮＯ）、処理はステップＳ８へ移行する。
【００４６】
ステップＳ７において、プリンタ制御部５１を介して後処理制御部６１から動作している後処理モードにおける後処理制限枚数が取得され、ステップＳ１で算出された出力枚数が取得された後処理制限枚数の上限を超えているか否かが判断され、後処理制限枚数の上限を超えている場合は（ステップＳ７；ＹＥＳ）、処理はステップＳ１０に移行し、超えていない場合は（ステップＳ７；ＮＯ）、処理はステップＳ８へ移行する。
【００４７】
ステップＳ８において、当該ジョブにおいて既にプリント出力が開始して、プリンタ部５０が稼動している状態であるか否かが判断され、既にプリント出力が開始されてプリンタ部５０が稼動している場合には（ステップＳ８；ＹＥＳ）、本処理は終了する。当該ジョブにおいて未だプリント出力が開始されていない場合には（ステップＳ８；ＮＯ）、処理はステップＳ９へ移行し、画像制御部１０の各部、プリンタ制御部５１、後処理制御部６１にプリント出力開始が指示され、本処理は終了する。
【００４８】
ステップＳ１０において、不揮発メモリ１２を参照することにより、動作している後処理モードに対して設定されている後処理制限枚数オーバー時の動作が「継続」であるか否かが判断され、「継続」である場合は（ステップＳ１０；ＹＥＳ）、処理はステップＳ１１に移行し、「継続」ではない場合は（ステップＳ１０；ＮＯ）、処理はステップＳ１６へ移行する。
【００４９】
ステップＳ１１において、後処理モードがステープルモードであるか否かが判断され、ステープルモードである場合は（ステップＳ１１；ＹＥＳ）、処理はステップＳ１２に移行し、ステープルモードではない場合は（ステップＳ１１；ＮＯ）、処理はステップＳ１４へ移行する。
【００５０】
ステップＳ１２において、画像制御部１０の各部、プリンタ制御部５１、後処理制御部６１に対して、稼動中であるプリンタ部５０の停止が指示され、プリント出力動作が停止される。次いで、後処理制御部６１に対し、後処理装置２のスタッカ（図示せず）内に用紙が蓄積されている場合に用紙の排出命令が指示され、後処理モードが、出力枚数が揃わなくとも実行可能なモード、例えばソートに変更され、後処理制御部６１にモード変更が通知され（ステップＳ１３）、本処理は終了する。その後、操作表示部２０のスタートボタンが押下されることにより、プリント出力の継続が可能となる。
【００５１】
ステップＳ１４において、後処理モードが、出力枚数が揃わなくとも実行可能な後処理モード、例えばソートへ変更され、後処理制御部６１にモード変更が通知される。次いで、画像制御部１０の各部、プリンタ制御部５１、後処理制御部６１にプリント出力開始が指示され（ステップＳ１５）、本処理は終了する。
【００５２】
ステップＳ１６において、後処理制限枚数オーバー時の動作が「ジョブの中止」であるか否かが判断され、「ジョブの継続を中止する第２の動作」（以下、「ジョブの中止」と称する）である場合（ステップＳ１６；ＹＥＳ）、処理はステップＳ１７に移行し、当該ジョブが強制終了される。後処理制限枚数オーバー時の動作が「継続」ではなくかつ「ジョブの中止」ではない場合、即ち、「その都度、後処理モードを変更しジョブの出力を継続又はジョブの継続の中止のどちらかを選択する第３の動作」（以下、「ジョブを継続／中止の選択」と称する）が設定されている場合（ステップＳ１６；ＮＯ）、操作制御部２１に、ジョブを継続／中止の選択画面のＬＣＤ２２への表示が指示されることにより、ＬＣＤ２２上に選択画面が表示され（ステップＳ１８）、本処理は終了する。
【００５３】
図５に、動作している後処理モードに対して設定されている後処理制限枚数オーバー時の動作として「ジョブを継続／中止の選択」が設定されている場合に、出力枚数の後処理制限枚数オーバー時、ステップＳ１８においてＬＣＤ２２に表示される選択画面２２２の一例を示す。図５に示すように、選択画面２２２は、ＬＣＤ２２に表示されている画面上にポップアップ表示され、ジョブを中止するか否かを選択入力することが可能となっている。「はい」ボタンが操作されると、この操作信号が制御部１１へ出力され、制御部１１によりジョブの強制終了が実行され、「いいえ」ボタンが操作されると、この操作信号が制御部１１へ出力され、制御部１１により後処理モードが変更される。又、同時にプリントスタートを実施させる。
【００５４】
以上説明したように、画像形成装置１００によれば、制御部１１は、動作しているモードが、中綴じ、中折り、断裁の何れかの後処理モードである場合、即ち、リアル出力動作が可能ではないモードである場合、又は、リアル出力動作が可能なステープルモードであり、かつ後処理制限枚数オーバー時の動作が「継続」ではない、即ち「ジョブを中止」又は「ジョブを継続／中止の選択」が設定されている場合は、画像制御部１０の各部、プリンタ制御部５１、後処理制御部６１を制御して、出力枚数が確定してから一括出力動作を行う。
【００５５】
また、出力枚数が後処理制限枚数をオーバーした場合、不揮発メモリ１２を参照し、各後処理モードに設定されている後処理制限枚数オーバー時の動作に基づいて、各部を制御する。
【００５６】
従って、出力枚数が後処理制限枚数を超えた場合に、ユーザの希望動作を反映することができる。また、後処理モードに設定されている後処理制限枚数オーバー時の動作が「ジョブ中止」又は「ジョブを継続／中止の選択」である場合には、リアル出力動作が可能であっても出力枚数が確定するまで出力を行わないので、出力枚数が後処理制限枚数を超えて後処理が行うことができない場合に出力を行いたくない場合、１枚も出力することがなく、用紙を無駄にすることがなくなる。
【００５７】
なお、上記実施の形態における記述内容は、本発明に係る画像形成装置１００の好適な一例であり、これに限定されるのものではない。
例えば、上記実施の形態においては、後処理モードをステープル、中綴じ、中折り、断裁の各モードとして説明したが、これに限定されない。
【００５８】
その他、画像形成装置１００の細部構成及び細部動作に関しても、本発明の趣旨を逸脱することのない範囲で適宜変更可能である。
【００５９】
【発明の効果】
請求項１、４に記載の発明によれば、画像形成装置において、ジョブの実行中に、そのジョブにおける出力すべき枚数が後処理装置の処理制限枚数を超過した時の動作として、「後処理モードを変更しジョブの出力を継続する第１の動作」、「そのジョブの継続を中止する第２の動作」、「その都度、後処理モードを変更しジョブの出力を継続するか、ジョブの継続を中止するかを選択する第３の動作」の何れかが選択的に設定入力されると、出力すべき枚数の処理制限枚数超過時において、設定されている動作を実行するように制御するとともに、第２の動作又は第３の動作の何れかの動作が設定されている場合、出力すべき枚数が確定した後で出力動作を開始するように制御する。
【００６０】
従って、そのジョブにおいて出力すべき枚数が後処理装置の処理制限枚数を超えた場合、ユーザの希望動作を反映して動作することができる。また、出力すべき枚数が処理制限枚数を超過した時の動作が第２の動作又は第３の動作の何れかである場合には、出力すべき枚数が確定するまで出力を行わないので、出力すべき枚数が処理制限枚数を超えて後処理が行うことができない場合に出力を行いたくない場合、１枚も出力することがなく、用紙を無駄にすることがなくなる。
【００６１】
請求項２、５に記載の発明によれば、処理制限枚数のある後処理モードの種類に応じて処理制限枚数超過時の動作を設定することができる。
【００６２】
請求項３、６に記載の発明によれば、処理制限枚数のある後処理モードには、ステープルモード、中綴じモード、中折りモード、断裁モードの何れかが含まれ、これらの後処理モードに応じて処理制限枚数超過時の動作を設定することができる。
【図面の簡単な説明】
【図１】本発明に係る画像形成装置１００の機能的構成を示すブロック図である。
【図２】図１の不揮発メモリ１２に記憶される、各後処理モードにおける後処理制限枚数オーバー時の動作設定データの一例を示す図である。
【図３】図１のＬＣＤ２２に表示される後処理制限枚数オーバー時動作設定画面２２１の一例を示す図である。
【図４】図１の制御部１１より実行される出力制御処理を示すフローチャートである。
【図５】図４のステップＳ１８においてＬＣＤ２２に表示される選択画面２２２の一例を示す図である。
【符号の説明】
１００  画像形成装置
１    画像形成装置本体
１０    画像制御部
１１    制御部
１２    不揮発メモリ
１３    画像メモリ
１３ａ    圧縮メモリ
１３ｂ    ページメモリ
１４    読み取り処理部
１５    圧縮ＩＣ
１６    伸長ＩＣ
１７    書き込み処理部
２０    操作表示部
２１    操作制御部
２２    ＬＣＤ
３０    スキャナ部
３１    スキャナ制御部
３２    ＣＣＤ
４０    通信部
４１    通信制御部
４２    画像メモリ
４３    Ｉ／Ｆ
５０    プリンタ部
５１    プリンタ制御部
５２    プリント部
２    後処理装置
６１    後処理制御部
３    断裁装置
７１    断裁制御部
【図１】
2005017692.tif 000003
【図２】
2005017692.tif 000004
【図３】
2005017692.tif 000005
【図４】
2005017692.tif 000006
【図５】
2005017692.tif 000007